(57)【要約】【課題】本発明は、ユーザに対して、最新のレース情報を迅速に提供できるようにし、また、投票結果情報を迅速に提供できるようにする新たな技術の提供を目的とする。【解決手段】ユーザのメールアドレスと、ユーザが提供を要求するレース情報種別とを記憶する記憶手段を用意し、新たなレース情報が発生すると、それを参照することで、新たに発生したレース情報の提供を要求するユーザのメールアドレスを取得して、レース情報をメール送信する。また、ユーザのメールアドレスと、ユーザが投票結果情報の提供を要求しているのかを示す情報とを記憶する記憶手段を用意し、レースが確定すると、レースに投票したユーザを処理対象として、それを参照することで、投票結果情報の提供を要求するユーザを特定して、そのユーザの投票結果情報を取得するとともに、それを参照することで、そのユーザのメールアドレスを取得して、投票結果情報をメール送信する。【選択図】図１
2006190018.tif 000002
【特許請求の範囲】
【請求項１】
トータリゼータシステムで用いられる情報提供装置であって、
各ユーザに対応付けて、そのユーザのメールアドレスの情報と、そのユーザが提供を要求するレース情報の種別の情報とを記憶する記憶手段と、
新たにレース情報が発生する場合に、上記記憶手段の記憶データを参照することで、その新たに発生したレース情報の提供を要求するユーザのメールアドレスを取得する取得手段と、
上記取得手段の取得したメールアドレスを宛先とし、上記新たに発生したレース情報を本文とするメールを作成して送信する送信手段とを備えることを、
特徴とする情報提供装置。
【請求項２】
トータリゼータシステムで用いられる情報提供装置であって、
各ユーザに対応付けて、そのユーザのメールアドレスの情報と、そのユーザが投票結果情報の提供を要求しているのか否かを示す情報とを記憶する記憶手段と、
レースが確定する場合に、そのレースに投票したユーザを処理対象として、上記記憶手段の記憶データを参照することで、投票結果情報の提供を要求するユーザを特定して、その特定したユーザの投票結果情報を取得するとともに、上記記憶手段の記憶データを参照することで、その特定したユーザのメールアドレスを取得する取得手段と、
上記取得手段の取得したメールアドレスを宛先とし、上記取得手段の取得した投票結果情報を本文とするメールを作成して送信する送信手段とを備えることを、
特徴とする情報提供装置。
【請求項３】
請求項１又は２に記載の情報提供装置において、
上記記憶手段は、各ユーザに対応付けて、そのユーザのメールの受け取りに関する時間情報についても記憶し、
上記送信手段は、上記時間情報が許可する時間にメールを送信することを、
特徴とする情報提供装置。
【請求項４】
トータリゼータシステムで用いられる情報提供方法であって、
新たにレース情報が発生する場合に、各ユーザに対応付けて、そのユーザのメールアドレスの情報と、そのユーザが提供を要求するレース情報の種別の情報とを記憶する記憶手段の記憶データを参照することで、その新たに発生したレース情報の提供を要求するユーザのメールアドレスを取得する過程と、
上記取得したメールアドレスを宛先とし、上記新たに発生したレース情報を本文とするメールを作成して送信する過程とを備えることを、
特徴とする情報提供方法。
【請求項５】
トータリゼータシステムで用いられる情報提供方法であって、
レースが確定する場合に、そのレースに投票したユーザを処理対象として、各ユーザに対応付けて、そのユーザのメールアドレスの情報と、そのユーザが投票結果情報の提供を要求しているのか否かを示す情報とを記憶する記憶手段の記憶データを参照することで、投票結果情報の提供を要求するユーザを特定して、その特定したユーザの投票結果情報を取得するとともに、該記憶手段の記憶データを参照することで、その特定したユーザのメールアドレスを取得する過程と、
上記取得したメールアドレスを宛先とし、上記取得した投票結果情報を本文とするメールを作成して送信する過程とを備えることを、
特徴とする情報提供方法。
【発明の詳細な説明】
【技術分野】
【０００１】
本発明は、トータリゼータシステムで用いられる情報提供装置及びその方法に関し、特に、ユーザに対して最新のレース情報を迅速に提供できるようにするとともに、ユーザに対してそのユーザの投票結果情報を迅速に提供できるようにする情報提供装置及びその方法に関する。
【背景技術】
【０００２】
近年、競馬などのトータリゼータシステムでは、通信回線を介したキャッシュレス投票が実用化している。
【０００３】
このようなキャッシュレス投票を利用する場合、投票者であるユーザは、レースに的中したり外れたりする場合に、自分の利用できるお金がどの位になったのかを知って、それに基づいて、次のレースに投入する金額を決めるようにしている。
【０００４】
また、競馬で説明するならば、ユーザは、このようなキャッシュレス投票を利用する場合にも、オッズ情報や、レースに出馬する馬に取り消しがあるのかということや、レースの行われる馬場がどのような状態にあるのかということや、レースに出馬する馬の体重がどのようなものであるのかということを知って、それらの情報を参考にして、該当するレースに対して投票を行うようにしている。
【０００５】
このようなことを背景にして、従来のトータリゼータシステムでは、キャッシュレス投票を実現するにあたって、トータリゼータシステムを実現するセンタがユーザの必要とする情報を一括管理するとともに、ユーザから情報の提供要求を受け付けるようにするという構成を採って、ユーザから情報の提供要求があると、ユーザの欲しがる情報をそのユーザに提供するようにしている（例えば、特許文献１参照）。
【特許文献１】特開２００２−６３３０６
【発明の開示】
【発明が解決しようとする課題】
【０００６】
しかしながら、このような従来技術に従っていると、ユーザに対して最新のレース情報（オッズ情報や出馬情報などのような投票の際に参照することになる情報やレース結果の情報など）を提供できないという問題や、ユーザに対して投票結果情報（そのユーザへの払戻金やそのユーザの残高などの情報）を迅速に提供できないという問題があるとともに、ユーザにとって無駄な通信費が発生するという問題がある。
【０００７】
すなわち、従来技術では、トータリゼータシステムのセンタは、ユーザから情報提供要求があるときに、ユーザの欲しがる情報を提供するようにしており、ユーザの欲しがる情報が更新されるタイミングを契機にして、その情報をユーザに提供するようにしている訳ではないので、ユーザに対して最新のレース情報を提供できないという問題があるとともに、ユーザに対して投票結果情報を迅速に提供できないという問題がある。
【０００８】
そして、ユーザは、自分の欲しい情報の更新タイミングを知ることができないことから、自分の欲しい情報を得るために何度も何度もセンタに接続しなければならず、ユーザにとって無駄な通信費が発生するという問題がある。
【０００９】
本発明はかかる事情に鑑みてなされたものであって、トータリゼータシステムを構築するにあたって、ユーザに対して最新のレース情報を迅速に提供できるようにするとともに、ユーザに対してそのユーザの投票結果情報を迅速に提供できるようにする新たな情報提供技術の実現を目的とする。
【課題を解決するための手段】
【００１０】
この目的を達成するために、本発明の情報提供装置は、トータリゼータシステムで用いられてユーザに最新のレース情報を提供できるようにするために、（１）各ユーザに対応付けて、そのユーザのメールアドレスの情報と、そのユーザが提供を要求するレース情報の種別の情報とを記憶する記憶手段と、（２）新たにレース情報が発生する場合に、記憶手段の記憶データを参照することで、その新たに発生したレース情報の提供を要求するユーザのメールアドレスを取得する取得手段と、（３）取得手段の取得したメールアドレスを宛先とし、新たに発生したレース情報を本文とするメールを作成して送信する送信手段とを備えるように構成する。
【００１１】
この構成を採るときにあって、記憶手段は、各ユーザに対応付けて、そのユーザのメールの受け取りに関する時間情報（メールして欲しい時間帯とか、メールして欲しくない時間帯などの情報）についても記憶することがあり、このときには、送信手段は、その時間情報が許可する時間にメールを送信するように処理することになる。
【００１２】
また、この目的を達成するために、本発明の情報提供装置は、トータリゼータシステムで用いられて各ユーザの投票結果情報を迅速に提供できるようにするために、（１）各ユーザに対応付けて、そのユーザのメールアドレスの情報と、そのユーザが投票結果情報の提供を要求しているのか否かを示す情報とを記憶する記憶手段と、（２）レースが確定する場合に、そのレースに投票したユーザを処理対象として、記憶手段の記憶データを参照することで、投票結果情報の提供を要求するユーザを特定して、その特定したユーザの投票結果情報を取得するとともに、記憶手段の記憶データを参照することで、その特定したユーザのメールアドレスを取得する取得手段と、（３）取得手段の取得したメールアドレスを宛先とし、取得手段の取得した投票結果情報を本文とするメールを作成して送信する送信手段とを備えるように構成する。
【００１３】
この構成を採るときにあって、記憶手段は、各ユーザに対応付けて、そのユーザのメールの受け取りに関する時間情報（メールして欲しい時間帯とか、メールして欲しくない時間帯などの情報）についても記憶することがあり、このときには、送信手段は、その時間情報が許可する時間にメールを送信するように処理することになる。
【００１４】
このように構成される本発明の情報提供装置では、新たなレース情報が発生すると、記憶手段の記憶データを参照することで、その新たに発生したレース情報の提供を要求するユーザのメールアドレスを取得して、その取得したメールアドレスを宛先とし、その新たに発生したレース情報を本文とするメールを作成して送信する。
【００１５】
そして、レースが確定すると、そのレースに投票したユーザを処理対象として、記憶手段の記憶データを参照することで、投票結果情報の提供を要求するユーザを特定して、その特定したユーザの投票結果情報を取得するとともに、記憶手段の記憶データを参照することで、その特定したユーザのメールアドレスを取得して、その取得したメールアドレスを宛先とし、その取得した投票結果情報を本文とするメールを作成して送信する。
【発明の効果】
【００１６】
このようにして、本発明によれば、ユーザの欲しがる情報が更新されるタイミングを契機にして、その情報をメールを使ってユーザに提供するようにしているので、ユーザに対して最新のレース情報を迅速に提供できるようになるとともに、ユーザに対してそのユーザの投票結果情報を迅速に提供できるようになる。
【００１７】
したがって、本発明によれば、ユーザにとって無駄な通信費が発生するという問題を解消することができるようになる。
【００１８】
しかも、本発明によれば、ユーザの希望する時間にレース情報や投票結果情報を提供できるようになる。
【発明を実施するための最良の形態】
【００１９】
以下、実施の形態に従って本発明を詳細に説明する。
【００２０】
図１に、本発明を具備するレース情報通知装置１の一実施形態例を図示する。
【００２１】
なお、以下では、説明の便宜上、本発明のレース情報通知装置１を競馬のトータリゼータシステムに適用した場合を想定している。
【００２２】
この図に示すように、本発明のレース情報通知装置１は、ネットワーク３を介して複数のユーザ端末２-i（ｉ＝１〜ｎ）に接続されて、これらのユーザ端末２-iを操作する会員のユーザに対して、図２に示す出馬表情報や出馬修正情報や馬体重情報や馬場状態情報などのような投票の際に参照することになる情報や、図３に示すレース結果の情報などといった最新のレース情報を迅速に提供するとともに、それらのユーザに対して、ユーザの投票結果情報（そのユーザへの払戻金やそのユーザの残高などの情報）を迅速に提供する処理を実行する。
【００２３】
本発明のレース情報通知装置１は、この処理を実現するために、会員の情報を管理する会員情報データベース１０と、図４に示すようなデータ構造を有して、会員の投票情報とその投票結果情報とを管理する購入情報データベース１１と、投票情報と銀行預金情報とレース結果情報とを入力として、購入情報データベース１１を作成するキャッシュレス投票実行部１２と、メール送信機能を有するとともに、第１の通知実行部１３０及び第２の通知実行部１３１を備えることで、会員に対して最新のレース情報や投票結果情報を通知する処理を行う通知実行部１３と、通知実行部１３の作業用に用意される通知待機用データベース１４とを備える。
【００２４】
ここで、通知実行部１３はコンピュータプログラムでも実現できるものであり、このコンピュータプログラムは、適当なコンピュータ読み取り可能な記録媒体に記録して提供されたり、ネットワークを介して提供され、本発明を実施する際にインストールされてＣＰＵなどの制御手段上で動作することにより通知実行部１３を実現することになる。
【００２５】
なお、図１では、本発明のレース情報通知装置１が購入情報データベース１１及びキャッシュレス投票実行部１２を備えるという構成を採っているが、図５に示すように、キャッシュレス投票実行部１２に相当するキャッシュレス投票実行システム１００と、購入情報データベース１１に相当する購入情報データベース２００とが本発明のレース情報通知装置１とは別に設けられることもあり、このような場合には、本発明のレース情報通知装置１は、外部に設けられる購入情報データベース２００を検索するデータベース検索部１５を備えたり、外部に設けられる購入情報データベース２００の情報を取得する図示しないデータベース情報取得部を備えることになる。
【００２６】
図６に、会員情報データベース１０の管理する会員情報の一例を図示する。
【００２７】
この図に示すように、会員情報データベース１０は、会員であるユーザの会員番号に対応付けて、そのユーザのメールアドレスと、そのユーザが提供を希望しているレース情報がどれであるのかということを示す情報（フラグ情報）と、そのユーザが自分の投票結果情報の提供を希望しているのか否かを示す情報（フラグ情報）と、そのユーザのメールの受け取りに関する時間情報（メールして欲しい時間帯とか、メールして欲しくない時間帯などの情報）とを管理する。
【００２８】
ここで、ユーザが提供を希望しているレース情報がどれであるのかということを示す情報と、そのユーザが自分の投票結果情報の提供を希望しているのか否かを示す情報と、そのユーザのメールの受け取りに関する時間情報とについては、ユーザからの設定要求に応答して、図示しない設定機構が設定することになる。
【００２９】
図７ないし図１０に、通知実行部１３の備える第１の通知実行部１３０の実行する処理フローの一例を図示し、図１１に、通知実行部１３の備える第２の通知実行部１３１の実行する処理フローの一例を図示する。
【００３０】
次に、これらの処理フローに従って、このように構成される本発明のレース情報通知装置１の実行する処理について詳細に説明する。
【００３１】
先ず最初に、図７及び図８の処理フローに従って、新たなレース情報が発生するときに第１の通知実行部１３０が実行する処理について説明する。
【００３２】
第１の通知実行部１３０は、新たなレース情報（オッズ情報や出馬表情報などのような投票の際に参照することになる情報や、レース結果の情報などの情報）が発生すると、図７及び図８の処理フローに示すように、先ず最初に、ステップ１０で、全会員について処理したのか否かを判断して、全会員について処理したことを判断する場合には、処理を終了し、一方、全会員について処理していないことを判断する場合には、ステップ１１に進んで、会員情報データベース１０に登録されている会員の中から、未選択の会員を一人選択する（会員番号を選択する）。
【００３３】
続いて、ステップ１２で、会員情報データベース１０から、その選択した会員の会員情報を読み出す。すなわち、選択した会員のメールアドレスと、その会員が提供を希望しているレース情報がどれであるのかということを示す情報と、その会員が自分の投票結果情報の提供を希望しているのか否かを示す情報と、その会員のメールの受け取りに関する時間情報（提供サービス時間の情報）とを読み出すのである。
【００３４】
続いて、ステップ１３で、その読み出した会員情報に従って、選択した会員に対して新たに発生したレース情報を通知する義務があるのか否かを判断する。すなわち、会員情報データベース１０から読み出した“提供を希望しているレース情報がどれであるのかということを示す情報”に従って、選択した会員に対して新たに発生したレース情報を通知する義務があるのか否かを判断するのである。
【００３５】
続いて、ステップ１４で、ステップ１３の判断処理に従って、レース情報の通知義務があるという判断結果が得られたのか否かを判断して、レース情報の通知義務がないという判断結果が得られたことを判断する場合には、次の会員について処理を行うべくステップ１０に戻る。
【００３６】
一方、ステップ１４で、レース情報の通知義務があるという判断結果が得られたことを判断する場合には、ステップ１５に進んで、新たに発生したレース情報に基づいて、選択した会員に通知する情報を生成する。
【００３７】
続いて、ステップ１６で、読み出した会員情報に含まれる提供サービス時間の情報に従って、現在の時刻が選択した会員に通知可能な時間であるのか否かを判断する。
【００３８】
続いて、ステップ１７で、ステップ１６の判断処理に従って、通知可能な時間であるという判断結果が得られたのか否かを判断して、通知可能な時間であるという判断結果が得られたことを判断する場合には、ステップ１８に進んで、読み出した会員情報に含まれる選択した会員のメールアドレスを宛先として、ステップ１５で生成した通知情報をメール送信してから、次の会員について処理を行うべくステップ１０に戻る。
【００３９】
一方、ステップ１７で、通知可能な時間でないという判断結果が得られたことを判断する場合には、ステップ１９に進んで、選択した会員のメールアドレスが通知待機用データベース１４に登録されているのか否かを判断する。
【００４０】
後述することから分かるように、通知待機用データベース１４には、図１２に示すようなデータ構造に従って、会員番号に対応付けて、その会員のメールアドレスと、その会員へ通知する通知情報と、その会員についての提供サービス時間の情報とが登録されているので、選択した会員のメールアドレスが既に通知待機用データベース１４に登録されているのか否かを判断するのである。
【００４１】
続いて、ステップ２０で、ステップ１９の判断処理に従って、メールアドレスが既に通知待機用データベース１４に登録されているという判断結果が得られたのか否かを判断して、通知待機用データベース１４に登録されていないという判断結果が得られたことを判断する場合には、ステップ２１に進んで、選択した会員の会員番号に対応付ける形で、その会員のメールアドレスと、その会員への通知情報（ステップ１５で生成した通知情報）と、その会員についての提供サービス時間情報とを通知待機用データベース１４に登録してから、次の会員について処理を行うべくステップ１０に戻る。
【００４２】
すなわち、新たなレース情報が発生した時点で、時間的な制約に従って、選択した会員へそのレース情報を通知できない場合にあって、未だ通知待機用データベース１４にその会員が登録されていない場合には、通知待機用データベース１４に対して、選択した会員の会員番号に対応付ける形で、その会員のメールアドレスと、その会員への通知情報と、その会員についての提供サービス時間情報とを登録するように処理するのである。
【００４３】
一方、ステップ２０で、選択した会員のメールアドレスが既に通知待機用データベース１４に登録されているという判断結果が得られたことを判断する場合には、ステップ２２に進んで、その登録されているメールアドレスに対応付ける形で、その会員への通知情報（ステップ１５で生成した通知情報）を通知待機用データベース１４に登録してから、次の会員について処理を行うべくステップ１０に戻る。
【００４４】
すなわち、新たなレース情報が発生した時点で、時間的な制約に従って、選択した会員へそのレース情報を通知できない場合にあって、これよりも前に発生したレース情報に従って、既に通知待機用データベース１４にその会員のメールアドレスとその会員への通知情報とその会員の提供サービス時間情報とが登録されている場合には、その会員に対して一度に通知情報をメール送信できるようにすべく、通知待機用データベース１４に対して、その登録されているメールアドレスに対応付ける形で、その会員への新たな通知情報を追加する形で登録するように処理するのである。
【００４５】
このようにして、第１の通知実行部１３０は、新たなレース情報が発生すると、図７及び図８の処理フローに従って、その発生時刻がメール送信をしてもよい時間であると設定した会員については、そのレース情報を即座にメールで通知し、一方、その発生時刻がメール送信をしては困る時間であると設定した会員については、そのレース情報をメールで通知しないで、そのレース情報をメール送信できるための情報を通知待機用データベース１４に登録するように処理することなる。
【００４６】
次に、図９及び図１０の処理フローに従って、あるレースが確定するときに第１の通知実行部１３０が実行する処理について説明する。
【００４７】
第１の通知実行部１３０は、キャッシュレス投票実行部１２からレース確定通知を受け取ることで、購入情報データベース１１に格納されるそのレースについての会員の投票結果情報が確定することを知ると、図９及び図１０の処理フローに示すように、先ず最初に、ステップ３０で、そのレースに投票した全ての会員（以下、これらの会員を投票会員と称する）について処理したのか否かを判断して、全投票会員について処理したことを判断する場合には、処理を終了し、一方、全投票会員について処理していないことを判断する場合には、ステップ３１に進んで、購入情報データベース１１に登録されている投票会員の中から、未選択の投票会員を一人選択する（会員番号を選択する）。
【００４８】
続いて、ステップ３２で、会員情報データベース１０から、その選択した投票会員の会員情報を読み出す。すなわち、選択した投票会員のメールアドレスと、その投票会員が提供を希望しているレース情報がどれであるのかということを示す情報と、その投票会員が自分の投票結果情報の提供を希望しているのか否かを示す情報と、その投票会員のメールの受け取りに関する時間情報（提供サービス時間の情報）とを読み出すのである。
【００４９】
続いて、ステップ３３で、その読み出した会員情報に従って、選択した投票会員に対して、レースが確定することで確定したその会員の投票結果情報を通知する義務があるのか否かを判断する。すなわち、会員情報データベース１０から読み出した“自分の投票結果情報の提供を希望しているのか否かを示す情報”に従って、選択した投票会員に対して投票結果情報を通知する義務があるのか否かを判断するのである。
【００５０】
続いて、ステップ３４で、ステップ３３の判断処理に従って、投票結果情報の通知義務があるという判断結果が得られたのか否かを判断して、投票結果情報の通知義務がないという判断結果が得られたことを判断する場合には、次の投票会員について処理を行うべくステップ３０に戻る。
【００５１】
一方、ステップ３４で、投票結果情報の通知義務があるという判断結果が得られたことを判断する場合には、ステップ３５に進んで、購入情報データベース１１から、選択した投票会員の投票結果情報を読み出し、続くステップ３６で、その読み出した投票結果情報に基づいて、選択した投票会員に通知する情報を生成する。
【００５２】
続いて、ステップ３７で、ステップ３２で読み出した会員情報に含まれる提供サービス時間の情報に従って、現在の時刻が選択した投票会員に通知可能な時間であるのか否かを判断する。
【００５３】
続いて、ステップ３８で、ステップ３７の判断処理に従って、通知可能な時間であるという判断結果が得られたのか否かを判断して、通知可能な時間であるという判断結果が得られたことを判断する場合には、ステップ３９に進んで、読み出した会員情報に含まれる選択した投票会員のメールアドレスを宛先として、ステップ３６で生成した通知情報をメール送信してから、次の投票会員について処理を行うべくステップ３０に戻る。
【００５４】
一方、ステップ３８で、通知可能な時間でないという判断結果が得られたことを判断する場合には、ステップ４０に進んで、選択した投票会員のメールアドレスが通知待機用データベース１４に登録されているのか否かを判断する。
【００５５】
上述したように、通知待機用データベース１４には、図１２に示すようなデータ構造に従って、会員番号に対応付けて、その会員のメールアドレスと、その会員へ通知する通知情報と、その会員についての提供サービス時間の情報とが登録されているので、選択した投票会員のメールアドレスが既に通知待機用データベース１４に登録されているのか否かを判断するのである。
【００５６】
続いて、ステップ４１で、ステップ４０の判断処理に従って、メールアドレスが既に通知待機用データベース１４に登録されているという判断結果が得られたのか否かを判断して、通知待機用データベース１４に登録されていないという判断結果が得られたことを判断する場合には、ステップ４２に進んで、選択した投票会員の会員番号に対応付ける形で、その投票会員のメールアドレスと、その投票会員への通知情報（ステップ３６で生成した通知情報）と、その投票会員についての提供サービス時間情報とを通知待機用データベース１４に登録してから、次の投票会員について処理を行うべくステップ３０に戻る。
【００５７】
すなわち、投票結果情報が確定した時点で、時間的な制約に従って、選択した投票会員へその投票結果情報を通知できない場合にあって、未だ通知待機用データベース１４にその投票会員が登録されていない場合には、通知待機用データベース１４に対して、選択した投票会員の会員番号に対応付ける形で、その投票会員のメールアドレスと、その投票会員への通知情報と、その投票会員についての提供サービス時間情報とを登録するように処理するのである。
【００５８】
一方、ステップ４１で、選択した投票会員のメールアドレスが既に通知待機用データベース１４に登録されているという判断結果が得られたことを判断する場合には、ステップ４３に進んで、その登録されているメールアドレスに対応付ける形で、その投票会員への通知情報（ステップ３６で生成した通知情報）を通知待機用データベース１４に登録してから、次の投票会員について処理を行うべくステップ３０に戻る。
【００５９】
すなわち、投票結果情報が確定した時点で、時間的な制約に従って、選択した投票会員へその投票結果情報を通知できない場合にあって、これよりも前に確定した投票結果情報に従って、既に通知待機用データベース１４にその投票会員のメールアドレスとその投票会員への通知情報とその投票会員の提供サービス時間情報とが登録されている場合には、その投票会員に対して一度に通知情報をメール送信できるようにすべく、通知待機用データベース１４に対して、その登録されているメールアドレスに対応付ける形で、その投票会員への新たな通知情報を追加する形で登録するように処理するのである。
【００６０】
このようにして、第１の通知実行部１３０は、あるレースが確定することでそのレースに投票した会員の投票結果情報が確定すると、図９及び図１０の処理フローに従って、その確定時刻がメール送信をしてもよい時間であると設定した投票会員については、その投票結果情報を即座にメールで通知し、一方、その確定時刻がメール送信をしては困る時間であると設定した投票会員については、その投票結果情報をメールで通知しないで、その投票結果情報をメール送信できるための情報を通知待機用データベース１４に登録するように処理することなる。
【００６１】
以上に説明したことから分かるように、通知待機用データベース１４には、時間的な制約に従ってメール送信できなかった会員の会員番号に対応付けて、その会員のメールアドレスと、その会員へ通知する通知情報と、その会員についての提供サービス時間の情報とが登録されるのである。
【００６２】
この通知待機用データベース１４の登録データを受けて、第２の通知実行部１３１は、図１１の処理フローに従って、提供サービス時間に入ることになった会員に対して、レース情報や投票結果情報をメール送信するように処理する。
【００６３】
すなわち、第２の通知実行部１３１は、規定の周期時間に到達することで起動されると、図１１の処理フローに示すように、先ず最初に、ステップ５０で、通知待機用データベース１４に登録データがあるのか否かを判断して、登録データがないことを判断する場合は、直ちに処理を終了し、一方、登録データがあることを判断する場合には、ステップ５１に進んで、全登録データについて処理したのか否かを判断する。
【００６４】
この判断処理に従って、全登録データについて処理したことを判断する場合には、処理を終了し、一方、全登録データについて処理していないことを判断する場合には、ステップ５２に進んで、通知待機用データベース１４に登録されている登録データの中から、未選択の登録データを１つ選択する（会員番号を選択する）。
【００６５】
続いて、ステップ５３で、通知待機用データベース１４から、その選択した登録データ（選択した会員についての登録データ）を読み出す。すなわち、その選択した会員のメールアドレスと、その選択した会員へ通知する通知情報と、その会員のメールの受け取りに関する時間情報（提供サービス時間の情報）とを読み出すのである。
【００６６】
続いて、ステップ５４で、その読み出した登録データに含まれる提供サービス時間情報に従って、現在の時刻が選択した会員に通知可能な時間であるのか否かを判断する。
【００６７】
続いて、ステップ５５で、ステップ５４の判断処理に従って、通知可能な時間であるという判断結果が得られたのか否かを判断して、通知可能な時間であるという判断結果が得られたことを判断する場合には、ステップ５６に進んで、読み出した登録データに含まれる会員のメールアドレスを宛先として、読み出した登録データに含まれる通知情報をメール送信する。
【００６８】
続いて、ステップ５７で、メール送信に成功したことに対応させて、通知待機用データベース１４から、その読み出した登録データを削除してから、次の登録データについて処理を行うべくステップ５１に戻る。
【００６９】
一方、ステップ５５で、通知可能な時間でないという判断結果が得られたことを判断する場合には、ステップ５６〜５７の処理を行わずに、次の登録データについて処理を行うべく直ちにステップ５１に戻る。
【００７０】
このようにして、第２の通知実行部１３１は、規定の周期時間に到達することで起動されると、通知待機用データベース１４に登録されているデータを参照することで、提供サービス時間に入ることになったレース情報や投票結果情報を会員に対してメール送信していくように処理するのである。
【００７１】
以上説明したように、本発明のレース情報通知装置１は、ユーザの欲しがる情報が更新されるタイミングを契機にして、その情報をメールを使ってユーザに提供するようにしているので、ユーザに対して最新のレース情報を迅速に提供できるようになるとともに、ユーザに対してそのユーザの投票結果情報を迅速に提供できるようになる。
【００７２】
そして、この実現にあたって、本発明のレース情報通知装置１は、ユーザがメールして欲しい時間帯とか、メールして欲しくない時間帯を設定できるようにして、その時間帯を考慮してユーザに情報を提供するようにしているので、ユーザの希望する時間にレース情報や投票結果情報を提供できるようになる。
【００７３】
（付記１）  トータリゼータシステムで用いられる情報提供装置であって、各ユーザに対応付けて、そのユーザのメールアドレスの情報と、そのユーザが提供を要求するレース情報の種別の情報とを記憶する記憶手段と、新たにレース情報が発生する場合に、上記記憶手段の記憶データを参照することで、その新たに発生したレース情報の提供を要求するユーザのメールアドレスを取得する取得手段と、上記取得手段の取得したメールアドレスを宛先とし、上記新たに発生したレース情報を本文とするメールを作成して送信する送信手段とを備えることを、特徴とする情報提供装置。
【００７４】
（付記２）  トータリゼータシステムで用いられる情報提供装置であって、各ユーザに対応付けて、そのユーザのメールアドレスの情報と、そのユーザが投票結果情報の提供を要求しているのか否かを示す情報とを記憶する記憶手段と、レースが確定する場合に、そのレースに投票したユーザを処理対象として、上記記憶手段の記憶データを参照することで、投票結果情報の提供を要求するユーザを特定して、その特定したユーザの投票結果情報を取得するとともに、上記記憶手段の記憶データを参照することで、その特定したユーザのメールアドレスを取得する取得手段と、上記取得手段の取得したメールアドレスを宛先とし、上記取得手段の取得した投票結果情報を本文とするメールを作成して送信する送信手段とを備えることを、特徴とする情報提供装置。
【００７５】
（付記３）  付記１又は２に記載の情報提供装置において、上記記憶手段は、各ユーザに対応付けて、そのユーザのメールの受け取りに関する時間情報についても記憶し、上記送信手段は、上記時間情報が許可する時間にメールを送信することを、特徴とする情報提供装置。
【００７６】
（付記４）  トータリゼータシステムで用いられる情報提供方法であって、新たにレース情報が発生する場合に、各ユーザに対応付けて、そのユーザのメールアドレスの情報と、そのユーザが提供を要求するレース情報の種別の情報とを記憶する記憶手段の記憶データを参照することで、その新たに発生したレース情報の提供を要求するユーザのメールアドレスを取得する過程と、上記取得したメールアドレスを宛先とし、上記新たに発生したレース情報を本文とするメールを作成して送信する過程とを備えることを、特徴とする情報提供方法。
【００７７】
（付記５）  トータリゼータシステムで用いられる情報提供方法であって、レースが確定する場合に、そのレースに投票したユーザを処理対象として、各ユーザに対応付けて、そのユーザのメールアドレスの情報と、そのユーザが投票結果情報の提供を要求しているのか否かを示す情報とを記憶する記憶手段の記憶データを参照することで、投票結果情報の提供を要求するユーザを特定して、その特定したユーザの投票結果情報を取得するとともに、該記憶手段の記憶データを参照することで、その特定したユーザのメールアドレスを取得する過程と、上記取得したメールアドレスを宛先とし、上記取得した投票結果情報を本文とするメールを作成して送信する過程とを備えることを、特徴とする情報提供方法。
【００７８】
（付記６）  付記４又は５に記載の情報提供方法において、上記送信する過程では、上記記憶手段が各ユーザに対応付けてそのユーザのメールの受け取りに関する時間情報についても記憶する場合に、その時間情報が許可する時間にメールを送信することを、特徴とする情報提供方法。
【００７９】
（付記７）  トータリゼータシステムで用いられる情報提供プログラムであって、新たにレース情報が発生する場合に、各ユーザに対応付けて、そのユーザのメールアドレスの情報と、そのユーザが提供を要求するレース情報の種別の情報とを記憶する記憶手段の記憶データを参照することで、その新たに発生したレース情報の提供を要求するユーザのメールアドレスを取得する処理と、上記取得したメールアドレスを宛先とし、上記新たに発生したレース情報を本文とするメールを作成して送信する処理とをコンピュータに実行させるための情報提供プログラム。
【００８０】
（付記８）  トータリゼータシステムで用いられる情報提供プログラムであって、レースが確定する場合に、そのレースに投票したユーザを処理対象として、各ユーザに対応付けて、そのユーザのメールアドレスの情報と、そのユーザが投票結果情報の提供を要求しているのか否かを示す情報とを記憶する記憶手段の記憶データを参照することで、投票結果情報の提供を要求するユーザを特定して、その特定したユーザの投票結果情報を取得するとともに、該記憶手段の記憶データを参照することで、その特定したユーザのメールアドレスを取得する処理と、上記取得したメールアドレスを宛先とし、上記取得した投票結果情報を本文とするメールを作成して送信する処理とをコンピュータに実行させるための情報提供プログラム。
【００８１】
（付記９）  付記７又は８に記載の情報提供プログラムにおいて、上記送信する処理では、上記記憶手段が各ユーザに対応付けてそのユーザのメールの受け取りに関する時間情報についても記憶する場合に、その時間情報が許可する時間にメールを送信することを、特徴とする情報提供プログラム。
【図面の簡単な説明】
【００８２】
【図１】本発明のレース情報通知装置の一実施形態例である。
【図２】投票の際に参照することになる情報の説明図である。
【図３】レース結果情報の説明図である。
【図４】購入情報データベースの管理するデータの説明図である。
【図５】本発明のレース情報通知装置の適用されるシステムの説明図である。
【図６】会員情報データベースの管理するデータの説明図である。
【図７】第１の通知実行部の実行する処理フローである。
【図８】第１の通知実行部の実行する処理フローである。
【図９】第１の通知実行部の実行する処理フローである。
【図１０】第１の通知実行部の実行する処理フローである。
【図１１】第２の通知実行部の実行する処理フローである。
【図１２】通知待機用データベースの管理するデータの説明図である。
【符号の説明】
【００８３】
１      レース情報通知装置
２      ユーザ端末
３      ネットワーク
１０    会員情報データベース
１１    購入情報データベース
１２    キャッシュレス投票実行部
１３    通知実行部
１４    通知待機用データベース
１３０  第１の通知実行部
１３１  第２の通知実行部
【図１】
2006190018.tif 000003
【図２】
2006190018.tif 000004
【図３】
2006190018.tif 000005
【図４】
2006190018.tif 000006
【図５】
2006190018.tif 000007
【図６】
2006190018.tif 000008
【図７】
2006190018.tif 000009
【図８】
2006190018.tif 000010
【図９】
2006190018.tif 000011
【図１０】
2006190018.tif 000012
【図１１】
2006190018.tif 000013
【図１２】
2006190018.tif 000014